(57)【要約】【課題】  無用な労力を不要にし、効率的な調整を行うことにより、大幅な作業工数削減及びコスト低減を図るとともに、容易かつ低コストに実施できるようにする。【解決手段】  特定の入賞口５１にパチンコ玉が入ったなら所定の確率により大当たりが発生して所定数量のパチンコ玉を放出するパチンコ台５０の調整を行う際に用いる調整支援装置であって、パチンコ台５０の所定位置Ｘｓに設置可能な設置基部２と、この設置基部２に一体に設け、かつ昇降出力部３ｓを有する昇降駆動部３と、上端を昇降出力部３ｓに連結し、かつ少なくとも下端側の一部が柔軟性を有してなる細長い連結部４と、この連結部４の下端に取付けた疑似玉部５を備える。【選択図】  図１
2006075471.tif 000002
【特許請求の範囲】
【請求項１】
特定の入賞口にパチンコ玉が入ったなら所定の確率により大当たりが発生して所定数量のパチンコ玉を放出するパチンコ台の調整を行う際に用いるパチンコ台用調整支援装置であって、パチンコ台の所定位置に設置可能な設置基部と、この設置基部に一体に設け、かつ昇降出力部を有する昇降駆動部と、上端を前記昇降出力部に連結し、かつ少なくとも下端側の一部が柔軟性を有してなる細長い連結部と、この連結部の下端に取付けた疑似玉部を備えることを特徴とするパチンコ台用調整支援装置。
【請求項２】
前記設置基部は、複数の脚部を有するとともに、少なくとも一つの脚部は、パチンコ台におけるパチンコ玉の通過する進入口部に差込んで位置決めする機能を有することを特徴とする請求項１記載のパチンコ台用調整支援装置。
【請求項３】
前記昇降駆動部は、電源部と、この電源部により駆動可能な駆動モータ部と、この駆動モータ部と前記電源部間に接続した作動スイッチ部と、前記駆動モータ部の回転を減速して出力する回転減速機構部と、一端が前記昇降出力部となり、かつ他端を前記回転減速機構部の出力シャフトに結合したクランク部を備えることを特徴とする請求項１記載のパチンコ台用調整支援装置。
【請求項４】
前記連結部は、所定長さのロッド部と、このロッド部の下端から下方に延出した柔軟性を有する所定長さのワイヤ部を備え、前記ロッド部の上端を前記昇降出力部に連結するとともに、前記ワイヤ部の下端を前記疑似玉部に取付けてなることを特徴とする請求項１記載のパチンコ台用調整支援装置。
【請求項５】
前記ロッド部は、下端が前記入賞口の内部又はその近傍に位置する長さに選定することを特徴とする請求項４記載のパチンコ台用調整支援装置。
【請求項６】
前記ワイヤ部は、下降時に、前記入賞口に入ったパチンコ玉を感知するパチンコ玉感知スイッチを前記疑似玉部によりＯＮにし、上昇時に、前記パチンコ玉感知スイッチをＯＦＦにする長さを選定することを特徴とする請求項４記載のパチンコ台用調整支援装置。
【請求項７】
前記ロッド部は、このロッド部の先端から延出する前記ワイヤ部の長さを調整する調整部を備えることを特徴とする請求項４又は６記載のパチンコ台用調整支援装置。
【発明の詳細な説明】
【技術分野】
【０００１】
本発明は、パチンコ台の調整を行う際に用いて好適なパチンコ台用調整支援装置に関する。
【背景技術】
【０００２】
従来、入賞口にパチンコ玉が入ったなら所定の確率により大当たりが発生し、所定数量のパチンコ玉を放出するパチンコ台は知られており、例えば、特開平５−２９３２４５号公報には、同様の遊技装置（パチンコ台）が開示されている。
【０００３】
この種のパチンコ台は、通常、前面パネル（遊技面パネル）の略中央に液晶表示部を備えるとともに、この液晶表示部の下方に特定の入賞口を備え、遊技中に、この入賞口にパチンコ玉が入ったなら、ＭＰＵ（マイクロプロセッサユニット）等を利用したソフトウェア処理による所定の確率に基づく大当たりを発生させるとともに、液晶表示部には、このソフトウェア処理に対応したスロットマシン等のゲーム要素を表示する。一方、大当たりの発生により入賞口の下方に設けた大入賞口が開いた状態となり、この大入賞口に９個（一般的にはＮ個）のパチンコ玉が入ることにより又は一定時間（概ね３０秒以内）が経過することにより大入賞口が閉じて大当たりの権利が終了する。
【特許文献１】特開平５−２９３２４５号
【発明の開示】
【発明が解決しようとする課題】
【０００４】
ところで、この種のパチンコ台における大当たりは、通常、ソフトウェア処理による乱数に基づいて発生させているが、この処理に対しては、不正な操作が加えられないように保護が図られている。したがって、たとえパチンコ店であっても一切の操作を加えることができない。
【０００５】
一方、大当たりが発生した際には、開いた大入賞口に９個のパチンコ玉が入ることにより又は一定時間が経過することにより大当たりの権利が終了するが、パチンコ台によっては、一定時間内に、例えば、５個しか入らないパチンコ台もあり、一回の大当たりで放出される全体の出玉数はパチンコ台によりバラつくため、バラつきの範囲が適切な範囲となるように、各パチンコ台の遊技クギを調整する必要がある。
【０００６】
しかし、このようなバラつき状態は、大当たりを発生させた状態でないと分からないため、調整を行う前提として大当たりを発生させる必要があるが、上述したように、大当たりを意図的に発生させることができないため、従来においては、調整者が大当たりの発生するまでパチンコ玉を入賞口に投入する必要があった。即ち、調整者がパチンコ玉を手で入賞口に一つずつ投入する作業が必要になり、この作業を大当たりが発生するまで繰り返さなければならないなど、一台当たり長時間の作業を強いられるとともに、通常、パチンコ台は、数十台から数百台以上に及ぶため、全体の作業工数及び作業コストの著しい増大を招く問題があった。
【０００７】
本発明は、このような背景技術に存在する課題を解決したパチンコ台用調整支援装置の提供を目的とするものである。
【課題を解決するための手段】
【０００８】
本発明に係るパチンコ台用調整支援装置１は、上述した課題を解決するため、特定の入賞口５１にパチンコ玉が入ったなら所定の確率により大当たりが発生して所定数量のパチンコ玉を放出（払出）するパチンコ台５０の調整を行う際に用いる調整支援装置であって、パチンコ台５０の所定位置Ｘｓに設置可能な設置基部２と、この設置基部２に一体に設け、かつ昇降出力部３ｓを有する昇降駆動部３と、上端を昇降出力部３ｓに連結し、かつ少なくとも下端側の一部が柔軟性を有してなる細長い連結部４と、この連結部４の下端に取付けた疑似玉部５を備えてなることを特徴とする。
【０００９】
この場合、発明の好適な態様により、設置基部２は、複数の脚部１１ａ，１１ｂ，１１ｓを有するとともに、少なくとも一つの脚部１１ｓには、パチンコ台５０におけるパチンコ玉の通過する進入口部５２に差込んで位置決めする機能を持たせることができる。また、昇降駆動部３は、電源部１２と、この電源部１２により駆動可能な駆動モータ部１３と、この駆動モータ部１３と電源部１２間に接続した作動スイッチ部１４と、駆動モータ部１３の回転を減速して出力する回転減速機構部１５と、一端が昇降出力部３ｓとなり、かつ他端を回転減速機構部１５の出力シャフト１５ｓに結合したクランク部１６を備えて構成できる。一方、連結部４は、所定長さのロッド部４ｒと、このロッド部４ｒの下端から下方に延出した柔軟性を有する所定長さのワイヤ部４ｗを備え、ロッド部４ｒの上端を昇降出力部３ｓに連結するとともに、ワイヤ部４ｗの下端を疑似玉部５に取付けることができる。この際、ロッド部４ｒは、下端が入賞口５１の内部又はその近傍に位置する長さに選定するとともに、ワイヤ部４ｗは、下降時に、入賞口５１に入ったパチンコ玉を感知するパチンコ玉感知スイッチ５３を疑似玉部５によりＯＮにし、上昇時に、パチンコ玉感知スイッチ５３をＯＦＦにする長さを選定することが望ましい。なお、ロッド部４ｒには、このロッド部４ｒの先端から延出するワイヤ部４ｗの長さを調整する調整部１７を設けることができる。
【発明の効果】
【００１０】
このような構成を有する本発明に係るパチンコ台用調整支援装置１によれば、次のような顕著な効果を奏する。
【００１１】
（１）  パチンコ台５０の大当たりを自動で発生させることができるため、大当たりを発生させるための調整者による人為的な作業は不要になる。したがって、無用な労力を排除できるとともに、パチンコ台５０の調整を効率的に行うことができ、もって、大幅な作業工数削減及びコスト低減を実現することができる。
【００１２】
（２）  乾電池等を利用した比較的簡易な装置構成により、小型かつ低コストに実施できるとともに、数十台から数百台以上に及ぶパチンコ台に対しても柔軟に対応することができる。
【００１３】
（３）  好適な態様により、設置基部２に、複数の脚部１１ａ，１１ｂ，１１ｓを設けるとともに、少なくとも一つの脚部１１ｓに、パチンコ台５０におけるパチンコ玉が通過する進入口部５２に差込んで位置決めする機能を持たせれば、調整支援装置１をパチンコ台５０の所定位置Ｘｓに確実かつ安定に設置できる。
【００１４】
（４）  好適な態様により、昇降駆動部３を、電源部１２と、この電源部１２により駆動可能な駆動モータ部１３と、この駆動モータ部１３と電源部１２間に接続した作動スイッチ部１４と、駆動モータ部１３の回転を減速して出力する回転減速機構部１５と、一端が昇降出力部３ｓとなり、かつ他端を回転減速機構部１５の出力シャフト１５ｓに結合したクランク部１６を備えて構成すれば、昇降駆動部３を容易かつ的確に実現することができる。
【００１５】
（５）  好適な態様により、ロッド部４ｒに、このロッド部４ｒの先端から延出するワイヤ部４ｗの長さを調整する調整部１７を設ければ、パチンコ玉感知スイッチ５３に対する疑似玉部５の最適な昇降位置を設定できるとともに、異なるタイプのパチンコ台に対しても容易に適用することができ、動作の確実性及び汎用性を高めることができる。
【発明を実施するための最良の形態】
【００１６】
次に、本発明に係る最良の実施形態を挙げ、図面に基づき詳細に説明する。
【００１７】
最初に、本実施形態に係る調整支援装置１を使用するパチンコ台５０の概略構成について、図１及び図２を参照して説明する。
【００１８】
図１中、５５はパチンコ台５０の前面パネル（遊技面パネル）であり、通常、木質板により形成される。そして、この前面パネル５５のほぼ中央に開口部５６を形成し、この開口部５６にフレーム体５７を配設するとともに、このフレーム体５７の後に液晶表示部（特別図柄表示装置）５８を配設する。また、フレーム体５７の下辺となる水平下フレーム部５７ｄの上面は玉受面５７ｄｆとなり、この玉受面５７ｄｆの左右方向中央には、玉受面５７ｄｆに載ったパチンコ玉（遊技球）が通過可能な進入口部５２を有する。この進入口部５２は、水平下フレーム部５７ｄの下側に設けたガイド通路５９の後上端に連通し、このガイド通路５９の前端は、前面パネル５５から前方に臨む落下口６０となる。
【００１９】
さらに、落下口６０の下方には、左右一対の遊技クギ６１ａ，６１ｂを有するとともに、この遊技クギ６１ａ，６１ｂの下方には、ゲート６３及びこのこのゲート６３の下方に位置する特定の入賞口（第一種始動口）５１を有する。この入賞口５１は、前面パネル５５の前後に貫通したガイド通路６４の前上端に連通するとともに、このガイド通路６４の後下端は、検出口６４ｏに連通する。この検出口６４ｏには、近接スイッチを用いたパチンコ玉感知スイッチ（第一種始動口スイッチ）５３が配設されており、検出口６４ｏを通過するパチンコ玉を検出することができる。また、入賞口５１には、左右一対の開閉片６５ａ，６５ｂからなるチューリップ６５を付設する。各開閉片６５ａ，６５ｂは、図１に実線で示す閉位置又は仮想線で示す開位置に回動変位し、その変位は連動機構を介して左右対称となる。
【００２０】
このようなパチンコ台５０は、入賞口５１にパチンコ玉が入ったなら、図示しないＭＰＵ（マイクロプロセッサユニット）等を利用したソフトウェア処理による所定の確率に基づく大当たりを発生させるとともに、液晶表示部５８に、このソフトウェア処理に対応したスロットマシン等のゲーム要素を表示する。一方、大当たりの発生により入賞口５１の下方に設けた不図示の大入賞口（第一種特別電動役物）が開いた状態となり、この大入賞口に９個のパチンコ玉が入ることにより又は一定時間が経過することにより、この大入賞口が閉じて大当たりの権利が終了する。なお、チューリップ６５は、他の入賞時に対応して開くものであり、開いた際には、開閉片６５ａ，６５ｂが図１の仮想線で示す位置まで回動変位した状態となる。
【００２１】
次に、本実施形態に係るパチンコ台用調整支援装置１の構成について、図１〜図４を参照して説明する。
【００２２】
調整支援装置１は、図１〜図３に示すように、パチンコ台５０の所定位置Ｘｓに設置可能な設置基部２と、この設置基部２に一体に設け、かつ昇降出力部３ｓを有する昇降駆動部３と、上端を昇降出力部３ｓに連結し、かつ少なくとも下端側の一部が柔軟性を有してなる細長い連結部４と、この連結部４の下端に取付けた疑似玉部５を備える。
【００２３】
設置基部２は、シャーシ部２１と、このシャーシ部２１の底面から下方に突出した三つの脚部１１ａ，１１ｂ，１１ｓを有する。この場合、一つの脚部１１ｓは、シャーシ部２１の後側であって左右方向中央に位置することにより、パチンコ台５０における進入口部５２に差込んで位置決めする機能を有するとともに、他の二つの脚部１１ａ，１１ｂは、シャーシ部２１の前側であって左右両側にそれぞれ位置することにより、水平下フレーム部５７ｄの上面に当接する。
【００２４】
また、図３に示すように、シャーシ部２１の上面にはハウジング部２２を備え、このハウジング部２２の内部に、昇降駆動部３の主要部を収容する。ハウジング部２２の右側は、電源ボックス２３となり、この電源ボックス２３には開閉カバー２４を付設する。これにより、開閉カバー２４を開閉して電源ボックス２３の内部に、電源部１２を構成する乾電池或いはバッテリ（二次電池）を収容できる。
【００２５】
一方、ハウジング部２２の左側は、駆動部ボックス２６となり、内部に、電源部１２により駆動可能な直流モータを利用した駆動モータ部１３と、この駆動モータ部１３の回転を減速して出力する複数のギアを組合わせて構成した回転減速機構部１５を収容する。そして、回転減速機構部１５の出力シャフト１５ｓは、駆動部ボックス２６から外部に突出させる。この場合、出力シャフト１５ｓの回転は、数秒で１回転する程度に設定することが望ましい。さらに、駆動部ボックス２６の上面には、押ボタンを用いた作動スイッチ部１４を配設する。この作動スイッチ部１４は、電源部１２と駆動モータ部１３間に接続する。作動スイッチ部１４は、押ボタンを用いたため、一回押す毎にＯＮ，ＯＦＦが繰り返される。また、出力シャフト１５ｓには、クランク部１６の他端を固定する。これにより、出力シャフト１５ｓが回転することにより、クランク部１６の一端が出力シャフト１５ｓを中心に旋回する昇降出力部３ｓとなる。即ち、回転減速機構部１５から出力する回転運動がクランク部１６により昇降運動に変換される。
【００２６】
昇降駆動部３を、このような電源部１２と、この電源部１２により駆動可能な駆動モータ部１３と、この駆動モータ部１３と電源部１２間に接続した作動スイッチ部１４と、駆動モータ部１３の回転を減速して出力する回転減速機構部１５と、一端が昇降出力部３ｓとなり、かつ他端を回転減速機構部１５の出力シャフト１５ｓに結合したクランク部１６により構成することにより、昇降駆動部３を容易かつ的確に実現することができる。
【００２７】
他方、連結部４は、所定長さのロッド部４ｒと、このロッド部４ｒの下端から下方に延出した柔軟性を有する所定長さのワイヤ部４ｗを備える。この場合、図４に示すように、ロッド部４ｒは金属素材等の剛性素材を用いてパイプ状に形成し、ロッド部４ｒの内部に、下端から合成樹脂素材等の柔軟素材を用いたワイヤ部４ｗの上端側を挿入できるようにする。また、ロッド部４ｒの下端には、ロックナット部２７を螺合することにより調整部１７を構成する。これにより、ロックナット部２７を一方向に回してロックを解除すれば、ロッド部４ｒから突出するワイヤ部４ｗの長さを変更できるとともに、ロックナット部２７を他方向に回せば、ロッド部４ｒに対するワイヤ部４ｗの位置をロックすることができ、ロッド部４ｒの先端から延出するワイヤ部４ｗの長さを調整することができる。したがって、パチンコ玉感知スイッチ５３に対する疑似玉部５の最適な昇降位置を設定できるとともに、異なるタイプのパチンコ台に対しても容易に適用することができ、動作の確実性及び汎用性を高めることができる。
【００２８】
そして、ロッド部４ｒの上端は、昇降出力部３ｓとなるクランク部１６の一端に回動自在に連結するとともに、ワイヤ部４ｗの下端に、疑似玉部５を取付ける。この際、ロッド部４ｒは、調整支援装置１をパチンコ台５０に設置した際に、図１に示すように、下端が入賞口５１の内部又はその近傍に位置するように長さを選定するとともに、ワイヤ部４ｗは、下降時に、パチンコ玉感知スイッチ５３を疑似玉部５によりＯＮにし、上昇時に、パチンコ玉感知スイッチ５３をＯＦＦにする長さを選定する。また、疑似玉部５には、パチンコ玉を利用することができる。この場合、図４に示すように、パチンコ玉に、ワイヤ部４ｗの下端が挿入する径方向の挿入孔２８を形成し、この挿入孔２８にワイヤ部４ｗの下端を挿入した後、接着剤２９等により固定すればよい。
【００２９】
次に、本実施形態に係るパチンコ台用調整支援装置１の使用方法及び動作について、各図を参照しつつ、図５に示すフローチャートに従って説明する。
【００３０】
まず、調整支援装置１を、調整しようとするパチンコ台５０の所定位置Ｘｓに設置する（ステップＳ１）。この場合、図１及び図２に仮想線で示すように、調整支援装置１における疑似玉部５を、上方からゲート６３の中を通し、さらに、入賞口５１の中に進入させた状態にして、設置基部２に備える後側の脚部１１ｓをパチンコ台５０の水平下フレーム部５７ｄの上面に開口する進入口部５２に差込むとともに、前側の脚部１１ａ，１１ｂを水平下フレーム部５７ｄの上面に載置する。このように、調整支援装置１は、パチンコ台５０の所定位置Ｘｓに対して容易に設置できるとともに、脚部１１ａ，１１ｂ，１１ｓにより確実かつ安定に設置できる。
【００３１】
そして、作動スイッチ部１４（押ボタン）をＯＮにする（ステップＳ２）。これにより、電源部１２から駆動モータ部１３に給電が行われ、駆動モータ部１３が回転する。駆動モータ部１３の回転は、回転減速機構部１５により減速され、出力シャフト１５ｓから出力する。この場合、出力シャフト１５ｓの回転は、数秒で１回転する程度となる。一方、出力シャフト１５ｓの回転により、クランク部１６の一端が出力シャフト１５ｓを中心に旋回し、このクランク部１６の一端（昇降出力部３ｓ）に回動自在に連結した連結部４が昇降変位する。この際、連結部４の下降時には、疑似玉部５が図１における符号５ｄで示す位置まで進入し、近接スイッチを用いたパチンコ玉感知スイッチ５３をＯＮにする（ステップＳ３，Ｓ４）。したがって、パチンコ台５０は、通常のパチンコ玉が入賞口５１に入った場合と同様の動作を行う。一方、連結部４の上昇時には、疑似玉部５が図１における符号５ｕで示す位置まで戻され、パチンコ玉感知スイッチ５３をＯＦＦにする（ステップＳ５，Ｓ６）。
【００３２】
駆動モータ部１３の作動が継続することにより、連結部４の昇降動作が繰り返され、パチンコ玉感知スイッチ５３も対応してＯＮ又はＯＦＦする（ステップＳ７，Ｓ３〜Ｓ６）。即ち、例示の場合には、数秒間隔でパチンコ玉感知スイッチ５３がＯＮする。この動作は、自動で行われるため、調整者は、上述したように、調整支援装置１を所定位置Ｘｓに設置し、作動スイッチ部１４（押ボタン）をＯＮにした以降は、このパチンコ台５０を離れ、次の作業を行うことができる。
【００３３】
他方、大当たりが発生した場合には、パチンコ台５０が大当たりに伴う音の発生と光の点滅を開始するため、調整者は、大当たりのパチンコ台５０を直ちに確認できる。したがって、調整者は、設置した調整支援装置１をパチンコ台５０から速やかに離脱するとともに、作動スイッチ部１４をＯＦＦにする（ステップＳ７，Ｓ８）。なお、この離脱した調整支援装置１は、続けて他のパチンコ台５０に用いることができる。そして、大当たりが発生した後における入賞口５１に入ったパチンコ玉の個数は、管理装置おいてデータとして受信するため、調整者は、そのデータに基づいて遊技クギの調整を行うことができる（ステップＳ９，Ｓ１０）。
【００３４】
よって、このような本実施形態に係るパチンコ台用調整支援装置１によれば、パチンコ台５０の大当たりを自動で発生させることができるため、大当たりを発生させるための調整者による人為的な作業は不要になる。したがって、無用な労力を排除できるとともに、パチンコ台５０の調整を効率的に行うことができ、もって、大幅な作業工数削減及びコスト低減を実現することができる。しかも、乾電池等を利用した比較的簡易な装置構成により、小型かつ低コストに実施できるとともに、数十台から数百台以上に及ぶパチンコ台に対しても柔軟に対応することができる。
【００３５】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３６】
例えば、パチンコ台５０の所定位置Ｘｓとして、水平下フレーム部５７ｄの上面を利用した場合を例示したが、必ずしもこの位置に限定されるものではない。しかし、この水平下フレーム部５７ｄを利用することにより、連結部４の長さを短くできる利点がある。また、連結部４は、ロッド部４ｒとワイヤ部４ｗの組合わせを例示、即ち、剛性素材と柔軟素材の組合わせを例示したが、柔軟素材のみであってもよい。柔軟素材のみの場合には、細長い蛇腹部材やスプリング等を利用することができる。さらに、連結部４の調整部１７は、必ずしも設けことを要しない。したがって、単なる棒状のロッド部４ｒの下端にワイヤ部４ｗの上端を固着した態様であってもよい。
【図面の簡単な説明】
【００３７】
【図１】本発明の最良の実施形態に係るパチンコ台用調整支援装置の側面図及びパチンコ台の一部を示す断面側面図、
【図２】同パチンコ台用調整支援装置の一部を示す正面図及びパチンコ台の一部を示す正面図、
【図３】同パチンコ台用調整支援装置の平面構成図、
【図４】同パチンコ台用調整支援装置の連結部及び疑似玉部の一部断面図、
【図５】同パチンコ台用調整支援装置の使用方法及び動作を説明するためのフローチャート、
【符号の説明】
【００３８】
１      パチンコ台用調整支援装置
２      設置基部
３      昇降駆動部
３ｓ    昇降出力部
４      連結部
４ｒ    ロッド部
４ｗ    ワイヤ部
５      疑似玉部
１１ａ  脚部
１１ｂ  脚部
１１ｓ  脚部
１２    電源部
１３    駆動モータ部
１４    作動スイッチ部
１５    回転減速機構部
１５ｓ  出力シャフト
１６    クランク部
１７    調整部
５０    パチンコ台
５１    入賞口
５２    進入口部
５３    パチンコ玉感知スイッチ
Ｘｓ    所定位置
【図１】
2006075471.tif 000003
【図２】
2006075471.tif 000004
【図３】
2006075471.tif 000005
【図４】
2006075471.tif 000006
【図５】
2006075471.tif 000007